(57)【特許請求の範囲】
【請求項１】
ロータリの上方を覆う耕耘カバーとロータリとの間隔を調節可能とした管理機のロータリ耕耘装置において、ミッションケースからロータリに動力を伝達する耕耘ケースと耕耘カバーとの間に、上下方向に延設され複数のピン孔を有するガイド体と、該ガイド体に沿って上下に摺動昇降可能に構成されピン孔を有する摺動体と、耕耘カバーとロータリとの位置調節手段であって、一端が前記ミッションケースに枢支され中途部が前記耕耘カバーに連結される上下昇降ハンドルと、前記ガイド体の何れかのピン孔及び前記摺動体のピン孔に貫通挿入させて両者を固定するロックピンとを有する位置調節手段とを配置し、前記耕耘カバーをロータリに対して上下位置調節可能に構成することを特徴とする管理機のロータリ耕耘装置。
【発明の詳細な説明】
【技術分野】
【０００１】
本発明は、管理機に装着するロータリ耕耘装置の耕耘カバーを上下移動可能として、耕耘カバーとロータリとの間の間隔を調節可能とする技術に関する。
【背景技術】
【０００２】
従来から、管理機やトラクタの後部にロータリ耕耘装置を装着し、圃場の耕耘作業を行えるようにしている。ロータリ耕耘装置は耕耘ケースに耕耘軸を横架し、該耕耘軸上に複数の耕耘爪を固定してロータリを形成し、該ロータリの上方を耕耘カバーにより覆う構成としていた。このロータリと耕耘カバーの間には所定の間隔が設けられ、耕耘土の飛散を防止し、土を砕けるようにしていた。
【０００３】
このような構成において耕耘作業を行うと、最も深く耕耘した場合には耕耘土が多くなって耕耘カバー内に持ち込まれずに細かく砕くことができず、負荷も大きくなって作業効率が低下していた。また、湿った土壌や、粘りのある土壌を耕耘した場合には耕耘カバー内面に土が付着し、重くなり、負荷も増加することとなっていた。
そこで、耕耘カバーの前端部に回動支点を設けて、耕耘カバーの後部を昇降装置により上下昇降できるように構成して、耕耘カバーと耕耘爪との間隔を拡げたり狭くしたりできるようにした技術が公知となっている（例えば特許文献１参照）。
【先行技術文献】
【特許文献】
【０００４】
【特許文献１】実用新案登録第２５４１７５３号公報
【発明の概要】
【発明が解決しようとする課題】
【０００５】
前記構成の耕耘カバーは耕耘カバーの前端を中心に後部を昇降する構成であったため、耕耘カバーと耕耘爪との間隔を広げた場合、前部が狭く後部が広くなっていた。従って、間隔を広げた状態で作業を行ったときに、耕耘カバー内面に土が付着すると、ロータリの回転により土は前部側に押し込んで固めてしまうことになり負荷も増加することになっていた。また、前記技術のロータリ耕耘装置はトラクタに装着され、耕耘カバーを昇降する昇降装置は油圧式であったため、昇降するための構造が複雑で管理機に適用するには難しい構造となっていた。
【０００６】
本発明は以上の如き状況に鑑みてなされたものであり、耕耘カバーとロータリとの間隔を容易に調節でき、土が付着し難い管理機のロータリ耕耘装置を提供しようとする。
【課題を解決するための手段】
【０００７】
本発明の解決しようとする課題は以上の如くであり、次にこの課題を解決するための手段を説明する。
即ち、請求項１においては、ロータリの上方を覆う耕耘カバーとロータリとの間隔を調節可能とした管理機のロータリ耕耘装置において、ミッションケースからロータリに動力を伝達する耕耘ケースと耕耘カバーとの間に、上下方向に延設され複数のピン孔を有するガイド体と、該ガイド体に沿って上下に摺動昇降可能に構成されピン孔を有する摺動体と、耕耘カバーとロータリとの位置調節手段であって、一端が前記ミッションケースに枢支され中途部が前記耕耘カバーに連結される上下昇降ハンドルと、前記ガイド体の何れかのピン孔及び前記摺動体のピン孔に貫通挿入させて両者を固定するロックピンとを有する位置調節手段とを配置し、前記耕耘カバーをロータリに対して上下位置調節可能に構成するものである。
【発明の効果】
【０００９】
本発明は上記構成とすることにより、耕耘カバーが上下に平行移動できてロータリと耕耘カバーとの間隔を調節でき、土壌の硬軟や土の付着状態や負荷等に合わせて耕耘カバーを昇降して効率よく作業ができる。また、耕耘カバーを大きく開放することによりメンテナンスが容易に行える。
【図面の簡単な説明】
【００１０】
【図１】管理機の側面図。
【図２】ロータリ耕耘装置の側面図。
【図３】ロータリ耕耘装置の平面図。
【図４】他の実施形態のロータリ耕耘装置の側面図。
【発明を実施するための形態】
【００１１】
以下では、本発明に係るロータリ耕耘装置４を備える管理機１の一実施形態について説明する。なお、以下では図中の矢印Ｆの方向を前方向と定義して説明を行う。
【００１２】
管理機１は、図１に示すように、本機前後中央にミッションケース１１が配置され、本機前部上にエンジン２０が配置され、ミッションケース１１下部に車輪３０・３０が支持され、本機後部に耕耘作業を可能とするロータリ耕耘装置４が配置される。本機後部のロータリ耕耘装置４上方には操縦部６０が配置される。
【００１３】
前記ミッションケース１１内には、ギヤや伝達軸等よりなる変速装置が収納され、エンジン２０からの動力が変速されて車輪３０やロータリ耕耘装置４に伝達される。ミッションケース１１は、側面視「へ」字状に構成されて管理機１の左右略中央に配置される。ミッションケース１１は、図１、図２に示すように、前下方向に延設した走行ケース１１ａの前下部に車輪３０・３０が支持され、後下方に延設した耕耘ケース１１ｂの後下部にロータリ耕耘装置４が支持される。
【００１４】
前記エンジン２０は、駆動源となるものである。エンジン２０は、ミッションケース１１の前部から前方に突設されたエンジンフレーム２１上に載置固定される。エンジン２０からの動力は、ベルト伝動機構２を介してミッションケース１１に動力が伝達される。
【００１５】
前記ベルト伝動機構２は前記エンジン２０の出力軸上に固設した出力プーリ２６と、前記ミッションケース１１の上側部より突出した入力軸上に固設した入力プーリ２７と、該入力プーリ２７と前記出力プーリ２６との間に巻回したベルト２８と、該ベルト２８を緊張または弛緩するテンションプーリ２９からなる。前記テンションプーリ２９は操縦部６０に配置される主クラッチレバー６３と連動連結されて、主クラッチレバー６３の「入」操作によりベルト２８を緊張させてエンジン２０からミッションケース１１に動力を伝達できるようにし、主クラッチレバー６３の「切」操作によりベルト２８を弛緩させて動力伝達を絶つようにしている。
【００１６】
前記ミッションケース１１の上部から上後方にハンドル６１と主変速レバー６２がそれぞれ突出されている。ハンドル６１の後部に主クラッチレバー６３や作業クラッチレバー６４やアクセルレバー等が配置されて、操縦部６０が形成されている。
【００１７】
前記ミッションケース１１の走行ケース１１ａの前下部には車軸３１・３１が軸架され、左右の車軸３１にそれぞれ車輪３０・３０が固定される。こうして、エンジン２０からの動力がベルト伝動機構２を介してミッションケース１１に伝えられ、変速後の動力が車輪３０・３０に伝えられて走行駆動可能としている。
【００１８】
前記ミッションケース１１の耕耘ケース１１ｂの後下部には耕耘軸４１が横架され、該耕耘軸４１上に耕耘爪４２・４２・・・が適宜間隔をあけて固定され、ロータリ４０を構成している。こうしてミッションケース１１から変速後の動力が耕耘爪軸４１に伝達されて耕耘爪４２・４２・・・が回転駆動され、耕耘作業を可能としている。該耕耘爪４２・４２・・・の回転軌跡の上方、つまり、ロータリ４０の上方は耕耘カバー４３により覆われる。該耕耘カバー４３の後部には抵抗棒４４と尾輪４５が取り付けられている。
【００１９】
前記ロータリ４０の上方を覆う耕耘カバー４３の内面と、ロータリ４０の耕耘爪４２の先端回転軌跡との間隔は調節可能とされている。即ち、図１、図２、図３に示すように、ロータリ耕耘装置４における耕耘ケース１１ｂの後部上にはレール状に構成したガイド体５１が上下方向に固設され、該ガイド体５１には上下に摺動昇降可能に平面視凹状（または角管状）に構成した摺動体５２が嵌合され、該摺動体５２は耕耘カバー４３に固定されている。但し、ガイド体５１を耕耘カバー４３に、摺動体５２をミッションケース１１に取り付ける構成とすることもできる。また、耕耘カバー４３を耕耘ケース１１ｂに沿って斜め上方に摺動させる構成とすることも可能である。
【００２０】
そして、前記ガイド体５１と摺動体５２との間には耕耘カバー４３の位置（高さ）調節手段７０が設けられている。位置調節手段７０は上下昇降ハンドル７１とロック装置となるロックピン７２からなり、上下昇降ハンドル７１は棒状として前後方向に配置して、前端がミッションケース１１に枢支され、中途部が連結リンク５３を介して耕耘カバー４３の上部（または摺動体５２）と連結され、後端にグリップを設けている。この上下昇降ハンドル７１を用いて容易に耕耘カバー４３を昇降操作できるようにしている。
ロックピン７２は、摺動体５２とガイド体５１にそれぞれ開口したピン孔に貫通挿入させて両者を固定するものである。本実施形態では、摺動体５２にロックピン７２を左右方向に貫通できるように取り付け、ガイド体５１には上下方向に所定間隔をあけてピン孔５１ａ・５１ａ・・・を複数開口している。但し、ロック装置の構成はピンに限定するものではなく、ガイド体５１に対して摺動体５２をボルトで固定したり、複数の凹部をガイド体５１の側面に上下方向に形成して、該凹部に摺動体５２に取り付けたカム等を係合させて固定したりすることも可能である。
【００２１】
このような構成において、前記摺動体５２とガイド体５１とにより耕耘カバーの前後方向は移動できず上下方向のみ調節可能としている。そして、耕耘カバー４３とロータリ４０との間隔を調節する場合には、ロックピン７２をピン孔から抜いて、上下昇降ハンドル７１を上下に回動することにより、摺動体５２はガイド体５１に沿って上下に摺動でき、摺動体５２に固定された耕耘カバー４３は上下に移動される。そして、耕耘カバー４３が略所望の高さとした位置で、摺動体５２とガイド体５１のピン孔を一致させてロックピン７２を挿入して固定する。こうして、耕耘ケース１１ｂに対して耕耘カバー４３を手動で上下調節可能としている。
【００２２】
また、位置調節手段７０は、摺動体としてのネジ軸７３とガイド体としてのボスネジ（ナット）７４とにより構成することも可能である。本実施形態では、図４に示すように、ネジ軸７３が耕耘カバー４３の上部より立設され、該ネジ軸７３にボスネジ７４が螺装される。ボスネジ７４はミッションケース１１より後方へ突設した支持ステー５５に回転自在に支持され、ボスネジ７４の上端にハンドル７５が取り付けられている。
【００２３】
こうして、ハンドル７５を回転することにより、ボスネジ７４が回転され、ネジ軸７３が昇降され、耕耘カバー４３を無段階に任意の高さに昇降することを可能としている。但し、ボスネジ７４を耕耘カバー４３に固定し、ネジ軸７３を支持ステー５５に支持し、ネジ軸７３を回転させて耕耘カバー４３を昇降させる構成とすることも可能である。また、位置調節手段７０はネジ軸７３とボスネジ７４に代えて、ウォームとウォームホイールとにより耕耘カバー４３を昇降する構成とすることも可能である。
【００２４】
以上のように、ロータリ４０の上方を覆う耕耘カバー４３とロータリ４０の耕耘爪４２先端回転軌跡との間隔を調節可能とした管理機１のロータリ耕耘装置４において、ミッションケース１１から耕耘爪軸４１に動力を伝達する耕耘ケース１１ｂと耕耘カバー４３との間に、上下方向にガイド体５１と該ガイド体５１に沿って上下に昇降可能とする摺動体５２、及び、位置調節手段７０とを配置し、前記耕耘カバー４３をロータリ４０に対して上下調節可能に構成するので、土が耕耘カバー４３に多く付着したり耕耘作業の負荷が大きくなると、位置調節手段７０により操作して、耕耘カバー４３を上昇させてロータリ４０との間の間隔を広げることができ、耕耘作業を続行することができる。また、細かく砕きたいときには耕耘カバー４３を下げてロータリ４０との間隔を狭くすることができる。こうして、耕耘作業の状態や作業の種類に合わせて、容易に耕耘カバー４３を昇降できるようになる。また、耕耘カバー４３は角度が変更されることなく平行に上昇させることができ、ロータリ４０と耕耘カバー４３との間隔を略均等に大きく広げられるようになり、耕耘カバー４３内面に付着した土を落としたり、耕耘爪を交換したりする作業やメンテナンス等を容易に行えるようになる。
【００２５】
また、前記耕耘カバー４３と耕耘ケース１１ｂとの間に上下昇降ハンドル７１を設けるので、耕耘カバー４３の昇降操作が容易にできるようになる。
【符号の説明】
【００２６】
１    管理機
４    ロータリ耕耘装置
１１  ミッションケース
１１ｂ  耕耘ケース
４０  ロータリ
４１  耕耘爪軸
４２  耕耘爪
４３  耕耘カバー
５１  ガイド体
５２  摺動体
７０  位置調節手段
７１  上下昇降ハンドル
【図１】
0006539858.tif 000002
【図２】
0006539858.tif 000003
【図３】
0006539858.tif 000004
【図４】
0006539858.tif 000005